(57)【要約】【課題】小動物が高速道路のり面にある縦排水溝を伝って高速道路内へ侵入するのを防止できる小動物侵入防止機能付き縦排水溝構造を提供する。【解決手段】高速道路２１とそれよりも低い位置にある一般道路２２の間にあるのり面２０に形成した傾斜縦排水溝１０と、この縦排水溝１０に設置する溝蓋１との組み合わせからなる。前記溝蓋１の裏面に縦排水溝１０の長手方向で、かつ下側に向けてのみ回動可能な遮蔽用スクリーン２が垂設されている。また、遮蔽用スクリーン２は、回転軸３に複数本の板状部材４がスダレ状に等間隔に配設され、板状部材４の長さが縦排水溝１０の深さよりも長くなっていて遮蔽用スクリーン２が上側に向けて回動できないよう規制されている。【選択図】図１
2011084973.tif 000002
【特許請求の範囲】
【請求項１】
高速道路とそれよりも低い位置にある一般道路の間にあるのり面に形成した傾斜縦排水溝と、この縦排水溝に設置する溝蓋との組み合わせからなり、前記溝蓋の裏面に縦排水溝の長手方向で、かつ下側に向けてのみ回動可能な遮蔽用スクリーンが設けられていることを特徴とする小動物侵入防止機能付き縦排水溝構造。
【請求項２】
遮蔽用スクリーンは、回転軸に複数本の板状部材がスダレ状に等間隔に配設され、板状部材の長さが縦排水溝の深さよりも長くなっていて遮蔽用スクリーンが上側に向けて回動できないよう規制されている請求項１に記載の小動物侵入防止機能付き縦排水溝構造。
【請求項３】
中央部の板状部材の長さが縦排水溝の深さよりも長くなっているとともに両側部の板状部材の長さが縦排水溝の深さよりも短くなっており、遮蔽用スクリーンの両側下隅部において溝底面との間に空隙部が形成されている請求項２に記載の小動物侵入防止機能付き縦排水溝構造。
【発明の詳細な説明】
【技術分野】
【０００１】
本発明は、小動物が高速道路のり面にある縦排水溝を伝って高速道路内へ侵入するのを防止することができる小動物侵入防止機能付き縦排水溝構造に関するものである。
【背景技術】
【０００２】
一般的に、高速道路は高架線になっている場合が多いが、山中などでは一般道路と並走している場合もある。この場合、高速道路は一般道路よりも高い場所に位置しており、各々の道路の路肩には境界用のフェンスを設置するとともに、２つの道路間には傾斜したのり面を設けて両者を仕切っているのが普通である。また、前記のり面の所々には高速道路側の雨水を一般道路側の側溝へ導くために縦排水溝を形成してあるが、この縦排水溝には溝蓋が装着されておらず開放状態となっているのが普通である。
【０００３】
従って、山中にいるタヌキや猪の子供などの小動物が、前記縦排水溝を通って一般道路側から高速道路内へ侵入する場合が多々あり、高速道路内に侵入した小動物と走行中の車とが衝突する事故が多発し危険であるという問題点が指摘されていた。また、高速道路側に小動物が侵入不可能な特別なフェンスを設置する等の対策も考えられているが、設備費用が多大になるため実現が難しいという問題点があった。
【０００４】
一方、溝内を仕切るスクリーン付きの溝蓋として、例えば特許文献１に示されるようなゴミ除去用スクリーン付き溝蓋が提案されているが、このスクリーンはゴミを堆積させるためのもので強度が弱く、また溝内の長手方向のいずれにも回動するため小動物の侵入防止に適用することはできないものであった。
【先行技術文献】
【特許文献】
【０００５】
【特許文献１】特開２００４−１５６３６６号公報
【発明の概要】
【発明が解決しようとする課題】
【０００６】
本発明は上記のような問題点を解決して、小動物が高速道路のり面にある縦排水溝を伝って高速道路内へ侵入するのを確実に防止することができ、また設備の設置も簡単で安価に行うことができる小動物侵入防止機能付き縦排水溝構造を提供することを目的として完成されたものである。
【課題を解決するための手段】
【０００７】
上記課題を解決するためになされた本発明の小動物侵入防止機能付き縦排水溝構造は、高速道路とそれよりも低い位置にある一般道路の間にあるのり面に形成した傾斜縦排水溝と、この縦排水溝に設置する溝蓋との組み合わせからなり、前記溝蓋の裏面に縦排水溝の長手方向で、かつ下側に向けてのみ回動可能な遮蔽用スクリーンが設けられていることを特徴とするものである。
【０００８】
また、遮蔽用スクリーンは、回転軸に複数本の板状部材がスダレ状に等間隔に配設され、板状部材の長さが縦排水溝の深さよりも長くなっていて遮蔽用スクリーンが上側に向けて回動できないよう規制されていることが好ましく、これを請求項２に係る発明とする。
【０００９】
更に、中央部の板状部材の長さが縦排水溝の深さよりも長くなっているとともに両側部の板状部材の長さが縦排水溝の深さよりも短くなっており、遮蔽用スクリーンの両側下隅部において溝底面との間に空隙部が形成されているものが好ましく、これを請求項３に係る発明とする。
【発明の効果】
【００１０】
請求項１に係る発明では、高速道路とそれよりも低い位置にある一般道路の間にあるのり面に形成した傾斜縦排水溝と、この縦排水溝に設置する溝蓋との組み合わせからなり、前記溝蓋の裏面に縦排水溝の長手方向で、かつ下側に向けてのみ回動可能な遮蔽用スクリーンが設けられているので、この遮蔽用スクリーンの遮蔽効果により小動物が縦排水溝を通って一般道路側から高速道路内へ侵入するのを確実に防止できることとなる。
【００１１】
また、請求項２に係る発明では、回転軸に複数本の板状部材がスダレ状に等間隔に配設され、板状部材の長さが縦排水溝の深さよりも長くなっていて遮蔽用スクリーンが上側に向けて回動できないよう規制されているので、雨水の流下に支障を生じることはなく、また特別な回り止め機構等を設けなくても一方向へのみ回動可能な遮蔽用スクリーンとすることができることとなる。
【００１２】
更に、請求項３に係る発明では、中央部の板状部材の長さが縦排水溝の深さよりも長くなっているとともに両側部の板状部材の長さが縦排水溝の深さよりも短くなっており、遮蔽用スクリーンの両側下隅部において溝底面との間に空隙部が形成されているので、この空隙部から小さなゴミ等が流下しスクリーン上におけるゴミの堆積を防止することができることとなる。
【図面の簡単な説明】
【００１３】
【図１】本発明の実施の形態を示す断面図である。
【図２】溝蓋を示す斜視図である。
【図３】遮蔽用スクリーンの回動を示す説明図である。
【図４】遮蔽用スクリーンの回動を示す説明図である。
【図５】本発明の実施の形態を示す全体斜視図である。
【発明を実施するための形態】
【００１４】
以下に、図面を参照しつつ本発明の好ましい実施の形態を示す。
図１は高速道路のり面に設置した本発明の小動物侵入防止機能付き縦排水溝構造を示す断面図、図２は溝蓋を示す斜視図である。また、図５は本発明の実施の形態を示す全体斜視図である。
図５に示すように、２１は高速道路、２２は一般道路であり、一般道路２２は高速道路２１よりも低い位置にあって、両者の間には高速道路側から一般道路側に向けて傾斜下降するのり面２０が形成されている。また、のり面２０の所々には高速道路側の雨水を一般道路側の側溝へ導くための断面Ｕ字状の縦排水溝１０が形成されている。
【００１５】
前記縦排水溝１０は、基本的には、溝蓋が装着されておらず開放状態となっているのが普通であるが、本発明では縦排水溝１０の下方部に金属製の溝蓋１（グレーティングとも言う）を配置した構造となっている。なお、溝蓋１の配置位置は下方部に限定されるものでなく、また材質も金属、硬質樹脂、木材等いずれであってもよい。
この溝蓋１は、図２に示すように、上面に縦横部材により格子状柵１ａが配置してある点は通常の溝蓋と同じであるが、本発明では格子状柵１ａの裏面に縦排水溝の長手方向で、かつ下側に向けてのみ回動可能な遮蔽用スクリーン２が垂設された構造となっている。
【００１６】
この遮蔽用スクリーン２は、回転軸３に複数本の板状部材４がスダレ状に等間隔に配設され、板状部材４の長さを縦排水溝１０の深さよりも長くした構造となっている。また、前記板状部材４は板の幅方向が縦排水溝１０の長手方向となるように配設されており、外枠体がなくても十分な強度を有し、かつ雨水の流下を邪魔しないよう構成されている。また、前記回転軸３は溝蓋１に取り付けられたブラケット５を介して支持されている。
【００１７】
図３に示されるように、遮蔽用スクリーン２は常時は自重により垂れ下がっていて、板状部材４の長さが縦排水溝１０の深さよりも長くなっているため下端部を縦排水溝１０の底面に接触させた状態となっている。従って、板状部材４は上側に向けてそれ以上回動することができず、一点鎖線で示すように、下側に向けてのみ回動可能に規制されている。
【００１８】
この結果、図４に示されるように、例えば猪の子供（うり坊と称される）などの小動物が縦排水溝１０を通って一般道路側から高速道路内へ移動しようとした場合、遮蔽用スクリーン２が上側に向けて回動できないためそれ以上の進行が不可能となり、高速道路内への侵入が確実に防止されることとなる。
一方、降雨時においては、高速道路側の雨水は縦排水溝１０を通じて一般道路側の側溝へ導かれるが、縦排水溝内に砂利石、落ち葉、ゴミ等が混入していたとしても、遮蔽用スクリーン２は下側に向けては自在に回動する構造であるので、雨水と砂利石等との落下エネルギが遮蔽用スクリーン２を回動させ、砂利石等は雨水とともに一般道路側の側溝へ流出することとなる。この結果、遮蔽用スクリーン上に砂利石、落ち葉、ゴミ等が堆積することがないので、常に雨水の流出が適正に行われる状態となっている。
【００１９】
また本発明では、遮蔽用スクリーン２を下側に向けてのみ回動可能なものとしてあるので、小動物の高速道路側から一般道路側への移動が可能となるが、本発明は小動物の一般道路側から高速道路内への侵入防止が目的であるので、逆の場合は問題としない。更に、図示のものでは高速道路と一般道路間ののり面について説明したが、高速道路同士や一般道路同士ののり面に適用してもよいことは勿論である。
【００２０】
なお、図１に示すように、中央部の板状部材４の長さが縦排水溝１０の深さよりも長くなっているとともに、両側部の板状部材４ａの長さが縦排水溝１０の深さよりも短くなっており、遮蔽用スクリーン２の両側下隅部において溝底面との間に空隙部６、６が形成されているものとすることができる。図示のものでは、中央部の板状部材４が２本、両側部の板状部材４ａが各々２本の計６本の板状部材が等間隔で配置してあるが、これらの本数や長さ等については、任意に設計変更できることは勿論である。
図示のものでは、前記空隙部６を通じて砂利石、落ち葉、ゴミ等が下側へ流出するので、遮蔽用スクリーン上に堆積する可能性が小さくなり、雨水の流出をより円滑に行えることとなる。
【符号の説明】
【００２１】
１  溝蓋
１ａ  格子状柵
２  遮蔽用スクリーン
３  回転軸
４  板状部材
５  ブラケット
６  空隙部
１０  縦排水溝
２０  のり面
２１  高速道路
２２  一般道路
【図１】
2011084973.tif 000003
【図２】
2011084973.tif 000004
【図３】
2011084973.tif 000005
【図４】
2011084973.tif 000006
【図５】
2011084973.tif 000007